(57)【特許請求の範囲】
【請求項１】
ユーザの操作に基づいて予定への参加者および予定の内容を含む情報が登録可能なスケジュール情報記憶部を参照して、前記スケジュール情報記憶部に登録された情報を収集するスケジュール情報収集部と、
前記スケジュール情報収集部により収集された情報のうちテキスト情報を解析して、前記予定に関連する情報を取得するための検索用情報を抽出するスケジュール解析部と、
前記ユーザの行動に応じて変化する情報を取得し、取得した情報に基づいて前記ユーザの状況を推定するユーザ状況推定部と、
前記スケジュール解析部により抽出された検索用情報を用いて予定に関連する情報を収集し、前記ユーザ状況推定部により推定された前記ユーザごとの状況に基づいて、収集した情報のうち前記ユーザに通知する情報を選択する通知情報作成部と、
前記通知情報作成部により選択された情報を、前記ユーザが保有する端末装置に送信する情報送信部と、を備え、
前記通知情報作成部は、前記スケジュール情報記憶部に予定が登録されたことに応じて、前記予定のリマインダを、予定の参加者全員の前記端末装置に送信する、
情報提供システム。
【請求項２】
前記通知情報作成部は、前記ユーザ状況推定部により推定された前記ユーザの状態が歩行中である場合に、情報の通知を禁止する
請求項１に記載の情報提供システム。
【請求項３】
ユーザの位置を取得するユーザ位置計測部を有し、
前記スケジュール解析部は、任意に予定の内容が入力されるテキスト情報を解析して予定の場所として前記検索用情報である目的地名を取得し、
前記通知情報作成部は、前記ユーザ状況推定部により推定されたユーザの状態が停止中であり、前記ユーザ位置計測部により取得された位置が、前記目的地名に対応した位置から所定距離以上離れていない場合に、前記ユーザ位置計測部により取得された位置から前記目的地名に対応した位置までの経路案内情報を取得し、前記情報送信部により前記端末装置に前記経路案内情報を送信させる、
請求項２に記載の情報提供システム。
【請求項４】
ユーザの操作に基づいて予定への参加者および予定の内容を含む情報が登録可能なスケジュール情報記憶部を参照して、前記スケジュール情報記憶部に登録された情報を収集するスケジュール情報収集部と、
前記スケジュール情報収集部により収集された情報のうちテキスト情報を解析して、前記予定に関連する情報を取得するための検索用情報を抽出するスケジュール解析部と、
前記ユーザの行動に応じて変化する情報を取得し、取得した情報に基づいて前記ユーザの状況を推定するユーザ状況推定部と、
前記スケジュール解析部により抽出された検索用情報を用いて予定に関連する情報を収集し、前記ユーザ状況推定部により推定された前記ユーザごとの状況に基づいて、収集した情報のうち前記ユーザに通知する情報を選択する通知情報作成部と、
前記通知情報作成部により選択された情報を、前記ユーザが保有する端末装置に送信する情報送信部と、を備え、
前記通知情報作成部は、前記スケジュール解析部により取得された前記検索用情報に基づいて予定の内容に関連する関連情報を収集し、前記ユーザ状況推定部により推定されたユーザの状態が車両により移動中である場合に、前記関連情報を、前記状態が移動中の前記ユーザが保有する端末装置に送信する、
情報提供システム。
【請求項５】
ユーザの操作に基づいて予定への参加者および予定の内容を含む情報が登録可能なスケジュール情報記憶部を参照して、前記スケジュール情報記憶部に登録された情報を収集するステップと、
収集された情報のうちテキスト情報を解析して、前記予定に関連する情報を取得するための検索用情報を抽出するステップと、
前記ユーザの行動に応じて変化する情報を取得し、取得した情報に基づいて前記ユーザの状況を推定するステップと、
前記検索用情報を用いて予定に関連する情報を収集し、推定された前記ユーザごとの状況に基づいて、収集した情報のうち前記ユーザに通知する情報を選択するステップと、
選択された情報を、前記ユーザが保有する端末装置に送信するステップと、を有し、
前記情報を選択するステップは、前記スケジュール情報記憶部に予定が登録されたことに応じて、前記予定のリマインダを、予定の参加者全員の前記端末装置に送信する、
情報提供方法。
【請求項６】
ユーザの操作に基づいて予定への参加者および予定の内容を含む情報が登録可能なスケジュール情報記憶部を参照して、前記スケジュール情報記憶部に登録された情報を収集するステップと、
収集された情報のうちテキスト情報を解析して、前記予定に関連する情報を取得するための検索用情報を抽出するステップと、
前記ユーザの行動に応じて変化する情報を取得し、取得した情報に基づいて前記ユーザの状況を推定するステップと、
前記検索用情報を用いて予定に関連する情報を収集し、推定された前記ユーザごとの状況に基づいて、収集した情報のうち前記ユーザに通知する情報を選択するステップと、
選択された情報を、前記ユーザが保有する端末装置に送信するステップと、を有し、
前記選択するステップは、前記抽出するステップにより取得された前記検索用情報に基づいて予定の内容に関連する関連情報を収集し、前記推定するステップにより推定されたユーザの状態が車両により移動中である場合に、前記関連情報を、前記状態が移動中の前記ユーザが保有する端末装置に送信する、
情報提供方法。
【請求項７】
コンピュータに、
ユーザの操作に基づいて予定への参加者および予定の内容を含む情報が登録可能なスケジュール情報記憶部を参照して、前記スケジュール情報記憶部に登録された情報を収集するステップと、
収集された情報のうちテキスト情報を解析して、前記予定に関連する情報を取得するための検索用情報を抽出するステップと、
前記ユーザの行動に応じて変化する情報を取得し、取得した情報に基づいて前記ユーザの状況を推定するステップと、
前記検索用情報を用いて予定に関連する情報を収集し、推定された前記ユーザごとの状況に基づいて、収集した情報のうち前記ユーザに通知する情報を選択するステップと、
選択された情報を、前記ユーザが保有する端末装置に送信するステップと、実行させるためのコンピュータプログラムであって、
前記選択するステップにおいて、前記スケジュール情報記憶部に予定が登録されたことに応じて、前記コンピュータに、前記予定のリマインダを、予定の参加者全員の前記端末装置に送信させる、
コンピュータプログラム。
【請求項８】
前記選択するステップにおいて、前記推定するステップにより推定された前記ユーザの状態が歩行中である場合に、前記コンピュータに、情報の通知を禁止させる、
請求項７に記載のコンピュータプログラム。
【請求項９】
コンピュータに、
ユーザの操作に基づいて予定への参加者および予定の内容を含む情報が登録可能なスケジュール情報記憶部を参照して、前記スケジュール情報記憶部に登録された情報を収集するステップと、
収集された情報のうちテキスト情報を解析して、前記予定に関連する情報を取得するための検索用情報を抽出するステップと、
前記ユーザの行動に応じて変化する情報を取得し、取得した情報に基づいて前記ユーザの状況を推定するステップと、
前記検索用情報を用いて予定に関連する情報を収集し、推定された前記ユーザごとの状況に基づいて、収集した情報のうち前記ユーザに通知する情報を選択するステップと、
選択された情報を、前記ユーザが保有する端末装置に送信するステップと、実行させるためのコンピュータプログラムであって、
前記選択するステップにおいて、前記コンピュータに、前記抽出するステップにより取得された前記検索用情報に基づいて予定の内容に関連する関連情報を収集させ、前記推定するステップにより推定されたユーザの状態が車両により移動中である場合に、前記関連情報を、前記状態が移動中の前記ユーザが保有する端末装置に送信させる、
コンピュータプログラム。
【発明の詳細な説明】
【技術分野】
【０００１】
本発明は、情報提供システム、情報提供方法、およびコンピュータプログラムに関する。
【背景技術】
【０００２】
従来、ユーザの状況を推定して、推定したユーザの状況に基づいてユーザに情報を通知する技術が知られている。例えば、加速度センサ、ＧＰＳ、時計、行動履歴等の組み合わせに基づいて、ユーザの状況に対して適切と判断された情報を提供している。
例えば、特許文献１や特許文献２に記載された従来の技術は、ユーザの現在の状況を推定し、適切な情報提供を行うことを目的としている。
【先行技術文献】
【特許文献】
【０００３】
【特許文献１】特開２０１１−０１８１２３号公報
【特許文献２】特開２００６−２８５５９９号公報
【非特許文献】
【０００４】
【非特許文献１】岡本雄三，長健太，池谷直紀，瀬戸口久雄，服部正典  「ユーザ状況推定技術を応用した乗換案内アプリケーションの実装と評価」FIT2010  第９回情報科学技術フォーラム
【非特許文献２】D. Patterson, L. Liao, D. Fox, and H. Kautz. Inferring High-Level Behavior from Low-Level Sensors. in Proceedings of The Fifth International Conference on Ubiquitous Computing (UBICOMP), 2003.
【発明の概要】
【発明が解決しようとする課題】
【０００５】
しかし、従来技術では、ユーザの現在の行動の背景を考慮しないため、ユーザの状況を誤推定し、有用ではない情報をユーザに提供する場合や、情報提供が必要な状況で全く情報を提供しない場合がある。例えば、出張のように、特定の目的地まで時間内に到着する必要がある場合には、移動に関係する「乗り換え案内情報」や「電車の遅延情報」などが提供されることが好ましい。
このように従来から用いられている加速度センサやＧＰＳなどのセンサ情報だけでは、移動行動中の目的地や到着時間等の情報を取得できず、情報提供が適切に行えないという課題がある。
【０００６】
本発明は、上記の課題に鑑みてなされたものであって、ユーザの現在の状況だけではなく、行動の背景となる情報も考慮して、有用な情報を通知可能な情報提供システム、情報提供方法、およびコンピュータプログラムを提供することを目的としている。
【課題を解決するための手段】
【０００７】
（１）本発明の一態様は、ユーザの操作に基づいて予定への参加者および予定の内容を含む情報が登録可能なスケジュール情報記憶部を参照して、前記スケジュール情報記憶部に登録された情報を収集するスケジュール情報収集部と、前記スケジュール情報収集部により収集された情報のうちテキスト情報を解析して、前記予定に関連する情報を取得するための検索用情報を抽出するスケジュール解析部と、前記ユーザの行動に応じて変化する情報を取得し、取得した情報に基づいて前記ユーザの状況を推定するユーザ状況推定部と、前記スケジュール解析部により抽出された検索用情報を用いて予定に関連する情報を収集し、前記ユーザ状況推定部により推定された前記ユーザごとの状況に基づいて、収集した情報のうち前記ユーザに通知する情報を選択する通知情報作成部と、前記通知情報作成部により選択された情報を、前記ユーザが保有する端末装置に送信する情報送信部と、を有する情報提供システムである。
【０００８】
（２）本発明の一態様は、上述の情報提供システムであって、前通知情報作成部は、前記スケジュール記憶部に予定が登録されたことに応じて、前記予定のリマインダを、予定の参加者全員の前記端末装置に送信する。
【０００９】
（３）本発明の一態様は、上述の情報提供システムであって、前記通知情報作成部は、前記ユーザ状況推定部により推定された前記ユーザの状態が歩行中である場合に、情報の通知を禁止する。
【００１０】
（４）本発明の一態様は、上述の情報提供システムであって、ユーザの位置を取得するユーザ位置計測部を有し、前記スケジュール解析部は、任意に予定の内容が入力されるテキスト情報を解析して予定の場所として前記検索用情報である目的地名を取得し、前記通知情報作成部は、前記ユーザ状況推定部により推定されたユーザの状態が停止中であり、前記ユーザ位置計測部により取得された位置が、前記目的地名に対応した位置から所定距離以上離れていない場合に、前記ユーザ位置計測部により取得された位置から前記目的地名に対応した位置までの経路案内情報を取得し、前記情報送信部により前記端末装置に前記経路案内情報を送信させる。
【００１１】
（５）本発明の一態様は、上記の情報提供システムであって、前記通知情報作成部は、スケジュール解析部により取得された前記検索用情報に基づいて予定の内容に関連する関連情報を収集し、前記ユーザ状況推定部により推定されたユーザの状態が車両により移動中である場合に、前記関連情報を、前記状態が移動中の前記ユーザが保有する端末装置に送信する。
【００１２】
（６）本発明の一態様は、ユーザの操作に基づいて予定への参加者および予定の内容を含む情報が登録可能なスケジュール情報記憶部を参照して、前記スケジュール情報記憶部に登録された情報を収集するステップと、収集された情報のうちテキスト情報を解析して、前記予定に関連する情報を取得するための検索用情報を抽出するステップと、前記ユーザの行動に応じて変化する情報を取得し、取得した情報に基づいて前記ユーザの状況を推定するステップと、前記検索用情報を用いて予定に関連する情報を収集し、推定された前記ユーザごとの状況に基づいて、収集した情報のうち前記ユーザに通知する情報を選択するステップと、選択された情報を、前記ユーザが保有する端末装置に送信するステップとを有する情報提供方法である。
【００１３】
（７）本発明の一態様は、コンピュータに、ユーザの操作に基づいて予定への参加者および予定の内容を含む情報が登録可能なスケジュール情報記憶部を参照して、前記スケジュール情報記憶部に登録された情報を収集するステップと、収集された情報のうちテキスト情報を解析して、前記予定に関連する情報を取得するための検索用情報を抽出するステップと、前記ユーザの行動に応じて変化する情報を取得し、取得した情報に基づいて前記ユーザの状況を推定するステップと、前記検索用情報を用いて予定に関連する情報を収集し、推定された前記ユーザごとの状況に基づいて、収集した情報のうち前記ユーザに通知する情報を選択するステップと、選択された情報を、前記ユーザが保有する端末装置に送信するステップと、を実行させるためのコンピュータプログラムである。
【発明の効果】
【００１４】
本発明の一態様によれば、ユーザの現在の状況だけではなく、行動の背景となる情報も考慮して、有用な情報をユーザに通知できる。
【図面の簡単な説明】
【００１５】
【図１】図１は、本発明を適用した情報提供システム１の構成例を示す図である。
【図２】図２は、本発明を適用した情報提供システム１における各部の機能の例を示すブロック図である。
【図３】図３は、本発明を適用した情報提供システム１におけるスケジュール情報の登録例を示す図である。
【図４】図４は、本発明を適用した情報提供システム１におけるユーザ状態情報の推定例を示す図である。
【図５】図５は、本発明を適用した情報提供システム１におけるユーザ予定情報の登録例を示す図である。
【図６】図６は、本発明を適用した情報提供システム１におけるユーザ状況情報の推定例を示す図である。
【図７】図７は、本発明を適用した情報提供システム１における通知情報の例を示す図である。
【図８】図８は、本発明を適用した情報提供システム１における全体の処理手順を示すフローチャートである。
【図９】図９は、本発明を適用した情報提供システム１におけるスケジュール収集処理の処理手順を示すフローチャートである。
【図１０】図１０は、本発明を適用した情報提供システム１においてスケジュール情報から地名を抽出する処理の処理手順を示すフローチャートである。
【図１１】図１１は、本発明を適用した情報提供システム１において、所要時間を計算し、乗り換え案内通知情報を生成および通知する処理の一例を示すフローチャートである。
【図１２】図１２は、本発明を適用した情報提供システム１において、所要時間を計算し、乗り換え案内通知情報を生成および通知する処理を説明する概略図である。
【図１３】図１３は、本発明を適用した情報提供システム１において、ユーザの状況に基づいて情報を通知する情報通知処理の処理手順の一例を示すフローチャートである。
【図１４】図１４は、本発明を適用した情報提供システム１において、ユーザの状態を推定する処理の処理手順を示すフローチャートである。
【図１５】図１５は、本発明を適用した情報提供システム１における特徴抽出処理および統計量計算処理（ステップＳ７０２）の処理手順の一例を示すフローチャートである。
【発明を実施するための形態】
【００１６】
以下、本発明を適用した情報提供システム、情報提供方法、およびコンピュータプログラムを、図面を参照して説明する。図１は、本発明を適用した情報提供システム１の構成を示す図である。情報提供システム１は、スケジューラサーバ３０に登録されたスケジュール情報および携帯端末４０のセンサ情報等に基づいて、ユーザにとって有用な情報をウェブから取得し、適切なタイミングでユーザに通知を行うサービスを実現する。
【００１７】
情報提供システム１は、情報提供サーバ１０と、スケジューラサーバ３０と、携帯端末４０と、ウェアラブル端末４０Ａを有する。
この情報提供システム１は、スケジューラサーバ３０から収集したスケジュール情報を、情報提供サーバ１０に供給する。これにより、情報提供システム１は、情報提供サーバ１０にユーザの予定情報を記憶する。また、携帯端末４０は、ユーザに携帯され、センサ情報に基づくユーザの状態を情報提供サーバ１０に供給する。情報提供システム１は、情報提供サーバ１０により後述する情報提供処理を実行することにより、携帯端末４０に情報を送信させる。情報提供システム１は、携帯端末４０に、情報提供サーバ１０から送信された情報を受信させ、ウェアラブル端末４０Ａに情報を送信させる。情報提供システム１は、ウェアラブル端末４０Ａに情報を受信させ、ユーザに情報を提供させる。
【００１８】
図２は、本発明を適用した情報提供システム１における各部の機能を示すブロック図である。
スケジューラサーバ３０は、スケジュール情報記憶部３０４を有する。スケジューラサーバ３０は、ＣＰＵ（Ｃｅｎｔｒａｌ  Ｐｒｏｃｅｓｓｉｎｇ  Ｕｎｉｔ）などのプロセッサが記憶部（不図示）に記憶されているプログラムを実行することによって機能するソフトウェア機能部を有する。スケジューラサーバ３０は、スケジュール管理用プログラムを実装し、スケジュール管理用プログラムをＣＰＵ等により実行させることによりスケジュール情報記憶部３０４を実現する。
【００１９】
スケジューラサーバ３０は、ＰＣやスマートフォンやタブレット等の外部端末とネットワークで接続され、ユーザの操作に基づいて、ユーザのスケジュール情報が入力され、スケジュール情報記憶部３０４に登録する。
スケジュール情報には、予定概要、開始日時、終了日時、および参加者等の情報が含まれる。予定概要の情報には、任意に予定の名前や内容、開催場所等が入力される。図３は、本発明を適用した情報提供システム１におけるスケジュール情報を示す図である。
【００２０】
スケジューラサーバ３０は、ＰＣやスマートフォンやタブレット等の外部端末を用いてスケジュール情報記憶部３０４に記憶されたスケジュール情報を、他のユーザに閲覧可能にする。
【００２１】
ウェアラブル端末４０Ａは、ユーザに装着可能な小型通信装置である。ウェアラブル端末４０Ａは、例えば腕時計型のものである。ウェアラブル端末４０Ａは、情報通信部４１５と、情報通知部４１６とを有する。
情報通信部４１５は、携帯端末とＷｉ−ＦｉやＢｌｕｅｔｏｏｔｈ（登録商標）などの無線通信方式で携帯端末４０と接続される。ウェアラブル端末４０Ａは、情報通信部４１５を介して、携帯端末４０と各種情報の送受信を行う。例えば、ウェアラブル端末４０Ａへのタッチパネルやボタン等のユーザ入力を受け付け、携帯端末４０側へ入力信号を送信する。情報通知部４１６は、情報提供サーバ１０から供給されたスケジュール情報を受信し、受信したスケジュール情報を通知する。情報通知部４１６は、画像、音声、または振動等によりスケジュール情報の受信およびスケジュール情報の内容を通知する。
【００２２】
携帯端末４０は、携帯型の通信装置であり、例えばスマートフォンやタブレット等である。携帯端末４０は、ユーザ位置計測部４０２と、ユーザ状態推定部４０４と、加速度計測部４０６と、ユーザ状態送信部４０８と、通知情報通信部４１２とを有する。携帯端末４０は、ＣＰＵなどのプロセッサが記憶部（不図示）に記憶されているプログラムを実行することによって機能するソフトウェア機能部を有する。なお、ユーザ位置計測部４０２および加速度計測部４０６は、本実施形態においては携帯端末４０に備えられていると説明するが、ウェアラブル端末４０Ａに備えられたユーザ位置計測部４０２および加速度計測部から位置情報および加速度センサのセンサ情報を受信してもよい。
【００２３】
ユーザ位置計測部４０２は、ＧＰＳ受信機および信号計算部を有し、携帯端末４０の位置情報を計測する。加速度計測部４０６は、加速度センサであり、携帯端末４０の加速度情報を計測する。ユーザ状態推定部４０４は、加速度計測部４０６により計測された加速度情報（センサ情報）に基づいてユーザの状態を推定する。ユーザ状態推定部４０４は、ユーザの状態が「停止」、「歩行」および「電車で移動中」のうち何れかの状態であるかを推定する。
【００２４】
このとき、ユーザ状態推定部４０４は、加速度計測部４０６により計測されたセンサ情報に対して特徴抽出処理を行い、抽出された特徴に基づいてどの状態であるかを推定する。まず、ユーザ状態推定部４０４は、携帯端末４０の地面に対する姿勢を推定する。
次に、ユーザ状態推定部４０４は、センサ情報からノイズを除去した後、特徴を抽出する。この特徴抽出処理は、重力加速度以外の成分の加速度情報のベクトル長、および重力加速度成分との内積と外積の計算をする。さらに、加速度情報の平均値、分散値、最大値、および最小値を含む統計量の計算をする。
ユーザ状態推定部４０４は、演算した統計量をニューラルネットワークに入力し、「停止」、「歩行」および「電車で移動中」のうちの何れかの状況を取得する。
【００２５】
図４は、本発明を適用した情報提供システム１におけるユーザ状態情報を示す図である。ユーザ情報には、ユーザの名前、位置（緯度、経度）、および状態が含まれる。
【００２６】
ユーザ状態送信部４０８は、携帯電話回線等の無線ネットワークを介して情報を送信する通信ＩＣおよびアンテナ装置により実現される。ユーザ状態送信部４０８は、ユーザ状態推定部４０４からユーザ状態情報が供給されると共に、ユーザ位置計測部４０２から位置情報が供給される。ユーザ状態送信部４０８は、所定時間毎、またはユーザの状態または位置情報が変化したタイミングで、ユーザの状態および位置情報をユーザ状態情報として情報提供サーバ１０に送信する。
【００２７】
通知情報通信部４１２は、携帯電話回線等の無線ネットワークを介して情報を通信する通信ＩＣおよびアンテナ装置により実現される。通知情報通信部４１２は、情報提供サーバ１０から送信された通知情報を受信する。通知情報通信部４１２は、通知情報を受信したことに応じ、受信した通知情報をウェアラブル端末４０Ａに送信する。
【００２８】
情報提供サーバ１０は、スケジュール情報収集部１０３と、スケジュール解析部１０５と、ユーザ予定情報記憶部１０７と、ユーザ状況推定部１０９と、通知情報作成部１１１と、通知情報送信部１１３と、地名辞書記憶部１１４とを有する。
情報提供サーバ１０は、ＣＰＵなどのプロセッサが記憶部（不図示）に記憶されている情報提供プログラムを実行することによって機能するソフトウェア機能部を有する。情報提供サーバ１０は、情報提供プログラムを実装し、情報提供プログラムをＣＰＵ等により実行させることにより各機能を実現する。
【００２９】
スケジュール情報収集部１０３は、携帯電話回線などの無線ネットワークや固定回線などの有線ネットワークを介して情報を送信する通信ＩＣおよびアンテナ装置により実現される。スケジュール情報収集部１０３は、所定時間毎に、スケジュール情報記憶部３０４に記憶された登録スケジュール情報を受信する。
【００３０】
スケジュール解析部１０５は、地名辞書記憶部１１４の辞書情報を用いて予定概要を解析し、予定の目的地名を抽出する。この予定の目的地名は、情報を検索するための検索用情報として使用される。このスケジュール解析部１０５は、解析処理として、形態素解析および地名辞書への突合を行う。スケジュール解析部１０５は、スケジュール情報の解析結果をユーザ予定情報の目的地名として、ユーザ予定情報記憶部１０７に記憶させる。なお、目的地抽出の精度を高めるために、形態素解析は予定概要を全て処理してもよいし、目的地名が出現しやすい括弧で囲まれたテキストや＠以降のテキストのみを処理してもよい。
【００３１】
地名辞書記憶部１１４およびユーザ予定情報記憶部１０７は、例えば、ＨＤＤ（Hard  Disk Drive）、フラッシュメモリ、ＥＥＰＲＯＭ（Electrically  Erasable  Programmable  Read  Only  Memory），ＲＯＭ（Read  Only  Memory），またはＲＡＭ（Random  Access  Memory）等により実現される。
【００３２】
地名辞書記憶部１１４には、目的地名として判定する名詞を含む地名辞書が記憶される。地名辞書記憶部１１４に記憶された地名辞書は、スケジュール情報から目的地名を抽出する処理において参照される。なお、地名辞書は、情報提供サーバ１０に記憶されている構成を説明するが、情報提供サーバ１０と通信回線を介してサーバ装置に記憶された地名辞書であってもよく、記憶場所は問わないものとする。
【００３３】
ユーザ予定情報記憶部１０７は、スケジュール解析部１０５により解析されたユーザのスケジュール情報をユーザ予定情報として記憶する。
図５は、本発明を適用した情報提供システム１におけるユーザ予定情報を示す図である。ユーザ予定情報には、予定概要、開始日時、終了日時、および目的地が含まれる。
【００３４】
ユーザ状況推定部１０９は、ＣＰＵがユーザ状況推定プログラムを実行することにより実現されるユーザ状況推定モジュールである。ユーザ予定情報記憶部１０７のユーザ予定情報と、携帯端末４０から送られるユーザ状態情報の組み合わせから、予め設定されたルールに従いユーザの状況を推定する。推定されたユーザの状況が、通知が必要なものであった場合、ユーザ状況推定部１０９は、通知情報作成部１１１に通知情報を作成させる。
図６は、本発明を適用した情報提供システム１におけるユーザ状況情報を示す図である。ユーザ状況情報には、ユーザの名前、位置（緯度、経度）、状態、目的地、および状況が含まれる。このユーザ状況情報は、ユーザ状況推定部１０９により例えば定期的に更新される。
【００３５】
通知情報作成部１１１は、ＣＰＵが通知情報作成プログラムを実行することにより実現される情報収集モジュールである。ユーザ状況推定部１０９により推定されたユーザ状況情報に基づいて通知に必要な情報を収集し、通知情報を生成する。また、通知情報作成部１１は、ユーザ状況に適したタイミングで通知情報を送信するように送信タイミングを制御する。
図７は、本発明を適用した情報提供システム１における通知情報を示す図である。通知情報には、通知内容、通知種別、ユーザの名前、および予定概要が含まれる。
【００３６】
通知情報送信部１１３は、携帯電話回線等の無線ネットワークを介して情報を送信する通信ＩＣおよびアンテナ装置により実現される。通知情報送信部１１３は、通知情報作成部１１１により作成された通知情報を、当該通知情報作成部１１１に指定されたタイミングで、携帯端末４０に送信する。なお、通知情報送信部１１３は、携帯端末４０から送信されたユーザのスケジュール取得要求に応じて、ユーザ予定情報記憶部１０７からユーザ予定情報を携帯端末４０に送信してもよい。
【００３７】
以下、上述した情報提供システム１によりユーザに情報を通知する処理手順について説明する。図８は、本発明を適用した情報提供システム１における全体の処理手順を示すフローチャートである。
まず、情報提供サーバ１０は、スケジュール情報記憶部３０４に記憶されたスケジュール情報を収集する（ステップＳ１００）。そして、情報提供サーバ１０は、ユーザ予定情報記憶部１０７に記憶されたユーザ予定情報を更新する。
次に、情報提供サーバ１０は、加速度センサやＧＰＳに基づくユーザ状態情報に基づいてユーザの状態を推定し、推定したユーザ状態情報とユーザ予定情報を基にユーザ状況推定部１０９によりユーザの状況を推定し、推定したユーザの状況を基に、通知情報作成部１１１により通知のための経路案内である乗り換えまたは徒歩ルート案内やニュース情報を生成し、通知する。（ステップＳ１０２）。なお、ユーザの状態を推定するための情報は、本実施形態において加速度センサの情報やＧＰＳの情報であるが、携帯端末４０またはウェアラブル端末４０Ａにより生成された情報であって、ユーザの行動に応じて変化する情報であればよい。携帯端末４０またはウェアラブル端末４０Ａにより生成された情報は、加速度センサおよびＧＰＳに限らず、携帯端末４０またはウェアラブル端末４０Ａが処理する情報であればよい。例えば、携帯端末４０またはウェアラブル端末４０Ａが備えるカメラにより生成された情報であってもよく、携帯端末４０またはウェアラブル端末４０Ａが操作されたことに応じて生成された情報であってもよい。
【００３８】
以下、上述したステップＳ１００におけるスケジュール情報の収集処理の手順について説明する。図９は、本発明を適用した情報提供システム１における情報収集処理の処理手順を示すフローチャートである。
まず、スケジュール情報収集部１０３は、スケジュール情報記憶部３０４に記憶されたスケジュール情報を収集する。そして、スケジュール情報収集部１０３は、スケジュール情報が、ユーザ予定情報記憶部１０７に記憶されたユーザ予定情報に整合を取るか否かを判定する（ステップＳ２００）。このとき、スケジュール情報収集部１０３は、スケジュール情報とユーザ予定情報とを比較し、整合しない情報を検索する。スケジュール情報収集部１０３は、スケジュール情報とユーザ予定情報との整合がとれている場合には処理を終了させ、スケジュール情報とユーザ予定情報との整合がとれていない場合にはステップＳ２０２〜ステップＳ２１０の処理に移行する。
【００３９】
次にスケジュール情報収集部１０３は、ステップＳ２００において整合がとれていない予定の状態を判定し、スケジューラサーバ３０におけるスケジュール情報に含まれる予定が削除されたか否か、予定が追加されたか否か、および予定が更新されたか否かを判定する（ステップＳ２０２）。スケジュール情報収集部１０３は、スケジューラサーバ３０におけるスケジュール情報に含まれる予定が削除された場合、当該削除された予定を、ユーザ予定情報記憶部１０７に記憶されたユーザ予定情報から削除する（ステップＳ２０４）。
【００４０】
スケジュール情報収集部１０３は、スケジューラサーバ３０におけるスケジュール情報に含まれる予定が追加または更新された場合、当該追加または更新された予定を解析し、テキスト情報から目的地名を抽出する（ステップＳ２０６）。次にスケジュール情報収集部１０３は、スケジューラサーバ３０において追加または更新された予定を、ユーザ予定情報記憶部１０７に記憶されたユーザ予定情報に対して追加または更新する（ステップＳ２０８）。
【００４１】
次に情報提供サーバ１０は、スケジュール情報に含まれる予定ごとの参加者に対して、予定についてのスケジュール情報が追加、変更されたことを通知する（ステップＳ２１０）。このとき、情報提供サーバ１０は、携帯端末４０に対して通知情報を送信してもよく、スケジューラとネットワーク接続されたＰＣやスマートフォンやタブレットへ通知情報を送信してもよい。
【００４２】
図１０は、本発明を適用した情報提供システム１においてスケジュール情報から地名を抽出する処理の処理手順を示すフローチャートである。
まず、 スケジュール解析部１０５は、スケジュール情報に含まれる予定の概要のテキスト情報に対して形態素解析を行い、名詞のみを抽出する（ステップＳ３００）。次にスケジュール解析部１０５は、名詞が隣接して抽出されたか否かを判定し（ステップＳ３０２）、名詞が隣接して抽出されたと判定した場合には、当該隣接する名詞を合成して複合名詞を生成する（ステップＳ３０４）。
なお、目的地抽出の精度を高めるために、形態素解析は予定概要のテキスト情報を全て処理してもよいし、目的地名が出現しやすい括弧で囲まれたテキストや＠以降のテキストのみを処理してもよい。
【００４３】
次にスケジュール解析部１０５は、ステップＳ３０２において抽出された名詞またはステップＳ３０４において生成された複合名詞と地名辞書記憶部１１４に記憶された地名辞書とを突合し、ステップＳ３０２において抽出された名詞またはステップＳ３０４において生成された複合名詞が地名であるか否かを判定する（ステップＳ３０６）。スケジュール解析部１０５は、ステップＳ３０２において抽出された名詞またはステップＳ３０４において生成された複合名詞が地名辞書に含まれている場合には、地名であると判定してステップＳ３０８に処理を進める。スケジュール解析部１０５は、ステップＳ３０２において抽出された名詞またはステップＳ３０４において生成された複合名詞が地名辞書に含まれていない場合には、地名であるとは判定せずにステップＳ３１０に処理を進める。
【００４４】
スケジュール解析部１０５は、スケジュール情報に含まれる予定の開催場所をステップＳ３０６において判定された地名として登録して処理を終了する（ステップＳ３０８）。スケジュール解析部１０５は、スケジュール情報に含まれる予定の目的地を登録せずに処理を終了する（ステップＳ３１０）。
【００４５】
図１３は、本発明を適用した情報提供システム１において、ユーザの状況に基づいて情報を通知する情報通知処理の処理手順を示すフローチャートである。この情報通知処理は、所定時間毎に繰り返して行われる。情報提供サーバ１０は、例えば、５分ごとに全てのユーザについて情報通知処理を行う。
まず携帯端末４０は、加速度計測部４０６により計測されている加速度を取得したことに応じてユーザ状態推定部４０４によりユーザの状態の推定を行い、推定した結果得たユーザ状態情報をユーザ状態送信部４０８から情報提供サーバ１０に送信させる。（ステップＳ６００）。ユーザ状態情報は、情報提供サーバ１０により受信され、ユーザ状況推定部１０９において利用される。
【００４６】
図１４は、本発明を適用した情報提供システム１において、ユーザの状態を推定する処理の処理手順を示すフローチャートである。
まずユーザ状態推定部４０４は、加速度計測部４０６により計測された加速度情報のうち一定区間の値を取得する（ステップＳ７００）。次にユーザ状態推定部４０４は、一定区間における加速度情報から特徴を抽出すると共に加速度情報の統計量を計算する（ステップＳ７０２）。次にユーザ状態推定部４０４は、抽出された特徴および統計量をニューラルネットワーク（ＮＮ）に入力し、当該ＮＮの出力としてユーザ状態ごとの尤度を得て、最も尤度が高いユーザ状態を取得する（ステップＳ７０４）。このＮＮは、特徴量および統計量を入力情報とし、ユーザの状態ごとの尤度を出力情報とするように設計されている。本実施形態において、ユーザの状態は、歩行中、停止中、および電車で移動中であるが、他の状態が含まれていてもよい。
【００４７】
図１５は、本発明を適用した情報提供システム１における特徴抽出処理および統計量計算処理（ステップＳ７０２）の処理手順を示すフローチャートである。まず、ユーザ状態推定部４０４は、加速度情報に基づいて自装置の地面に対する姿勢を推定する（ステップＳ８００）。次にユーザ状態推定部４０４は、加速度計測部４０６により計測されている加速度情報からノイズを除去する（ステップＳ８０２）。次にユーザ状態推定部４０４は、重力加速度以外の成分の加速度情報のベクトル長、および重力加速度成分との内積と外積を計算する（ステップＳ８０４）。さらに、ユーザ状態推定部４０４は、加速度情報の平均値、分散値、最大値、および最小値を含む統計量の計算をする（ステップＳ８０６）。
【００４８】
図１３に戻り、通知情報作成部１１１は、ステップＳ６００において推定されたユーザの状態を判定する（ステップＳ６０２）。通知情報作成部１１１は、ユーザの状態が「歩行中」である場合には処理を終了させる。これにより、通知情報作成部１１１は、ユーザの状態が「歩行中」である場合には処理を終了する。
【００４９】
通知情報作成部１１１は、ユーザの状態が「停止」である場合には、ユーザの位置情報と開催場所に対応した位置情報とを比較して、開催場所である目的地に対するユーザの位置を判定する（ステップＳ６０４）。
【００５０】
通知情報作成部１１１は、ユーザの位置が目的地周辺である場合には、目的地（開催場所）までの徒歩ルートおよび徒歩時間を含む徒歩ルート案内情報（経路案内情報）を通知情報として通知情報送信部１１３から送信させる。徒歩ルート案内情報は、通知情報送信部１１３から携帯端末４０に対して送信される。これにより、徒歩ルート案内情報は、通知情報通信部４１２から情報通信部４１５に送信され、ウェアラブル端末４０Ａによりユーザに通知される（ステップＳ６０６）。
【００５１】
通知情報作成部１１１は、ユーザの位置が目的地から遠い場合には、ウェブ情報から経路案内情報として乗り換え案内情報を取得し、通知情報として通知情報送信部１１３から送信させる。乗り換え案内情報は、通知情報送信部１１３から携帯端末４０に対して送信される。これにより、乗り換え案内情報は、通知情報通信部４１２および情報通信部４１５から情報通知部４１６に送信され、ウェアラブル端末４０Ａによりユーザに通知される（ステップＳ６１２）。
【００５２】
図１１は、本発明を適用した情報提供システム１において、通知情報作成部１１１が、乗り換え案内情報を取得して通知する処理（ステップＳ６１２）の処理手順を示すフローチャートである。図１２は、本発明を適用した情報提供システム１において、所要時間を計算する処理を説明する概略図である。
まず、通知情報作成部１１１は、ユーザ予定情報記憶部１０７に登録されているユーザ予定情報を参照して、目的地（開催場所）から最寄り駅までの徒歩ルートを取得し、徒歩時間（図１２中の（１））を計算する（ステップＳ５００）。次に通知情報作成部１１１は、乗り換え案内情報を取得し、当該乗り換え案内情報によってユーザが移動するために必要な所要時間（図１２中の（２））を計算する（ステップＳ５０２）。次に通知情報作成部１１１は、ユーザの位置情報を参照して、ユーザの位置から最寄り駅までの徒歩ルートを取得し、所要時間（図１２中の（３））を計算する（ステップＳ５０４）。次に通知情報作成部１１１は、目的地（開催場所）から最寄り駅までの徒歩ルートおよび徒歩時間を含む通知情報、乗り換え案内情報および所要時間を含む通知情報、および、ユーザの出発地から最寄り駅までの徒歩ルートおよび所要時間を含む通知情報を通知する（ステップＳ５０６）。
【００５３】
図１３に戻り、通知情報作成部１１１は、ステップＳ６００において推定されたユーザの状態が「電車内」である場合には、予定についての関連ニュースが通知済か否かを判定する（ステップＳ６０８）。通知情報作成部１１１は、関連ニュースが通知済である場合には処理を終了させ、関連ニュースが通知済ではない場合には、関連ニュースを通知情報として送信させる（ステップＳ６１０）。このとき、通知情報作成部１１１は、テキスト情報を解析した結果に基づいて関連ニュースを収集する。通知情報作成部１１１は、目的地名を検索用情報として関連ニュースを検索してもよく、予定概要に含まれる○×商事という会社名を検索用情報として関連ニュースを検索してもよく、テキスト情報に関連するものであればあらゆる関連ニュースを検索してもよい。なお、通知情報作成部１１１は、テキスト情報を解析して検索用情報を抽出する処理を、図９に示したステップＳ２０６と同時に実施してもよい。関連ニュース情報は、通知情報送信部１１３から携帯端末４０に対して送信される。これにより、関連ニュース情報は、通知情報通信部４１２から情報通信部４１５に送信され、ウェアラブル端末４０Ａによりユーザに通知される。
【００５４】
通知情報作成部１１１は、ユーザ予定情報のうちテキスト情報を取り出して、関連ニュース情報を取得させ通知する。（ステップＳ６１０）。このとき、通知情報作成部１１１は、テキスト情報を目的地名としてウェブ情報から関連ニュース情報を取得させる。なお、通知情報作成部１１１は、関連ニュースに限らず、ユーザ予定情報（スケジュール情報）として記憶されている情報に関連する情報を取得してもよい。通知情報作成部１１１は、例えば、予定の内容に関連するウェブ情報としてウェブページ情報や、関連するウェブサイトへのリンク集を取得させてもよい。
【００５５】
以上のように、情報提供システム１は、ユーザの操作に基づいて予定への参加者および予定の内容を含む情報が登録可能なスケジュール情報記憶部３０４を参照して、スケジュール情報記憶部３０４に登録された情報を収集するスケジュール情報収集部１０３と、収集された情報のうちテキスト情報を解析して、予定に関連する情報を取得するための検索用情報を抽出するスケジュール解析部１０５と、ユーザの行動に応じて変化するセンサ情報を取得し、取得したセンサ情報に基づいて前記ユーザの状態を推定するユーザ状態推定部４０４と、推定された状態と解析されたユーザ予定情報に基づき状況を推定するユーザ状況推定部１０９と、検索用情報を用いて予定に関連する情報を収集し、推定されたユーザごとの状況に基づいて、収集した情報のうちユーザに通知する情報を選択する通知情報作成部１１１と、選択された情報を端末装置（４０、４０Ａ）に送信する通知情報送信部１１３とを有する。
この情報提供システム１によれば、スケジューラサーバ３０に記憶されたスケジュール情報に含まれるテキスト情報を解析して、ユーザの目的地名等の検索用情報を抽出し、センサ情報から得られるユーザ状態と組み合わせてユーザ状況を推定するので、ユーザの現在の状況だけではなく、行動の背景となる情報も考慮して、有用な情報をユーザに通知できる。
【００５６】
比較例のユーザ状況の推定処理は、携帯端末の加速度や位置情報等からユーザの状態を推定している。この比較例におけるユーザ状態の推定処理は、例えば「道案内を必要としている」というような高度なユーザの状況を推定するためには、予定の開始時刻に対してどの位置にいるべきかという情報が必要であり、センサ情報のみでは、このような情報を得ることはできない。
これに対し、本実施形態の情報提供システム１によれば、加速度情報および位置情報に加えて、スケジューラサーバ３０により得られたスケジュール情報を解析した結果に基づいてユーザの状況の推定処理を行う。これにより、本実施形態の情報提供システム１によれば、スケジュール情報に予定の場所が登録され、例えばユーザが予定の場所に近い位置で停止した場合には、「道案内を必要としている」というユーザの状況を推定することが可能となる。さらに、本実施形態の情報提供システム１によれば、スケジュール情報に予定の場所が登録され、ユーザが予定の場所に向かって電車で移動している最中には、道案内はせずに、予定に関連する情報を通知できる。
このように、本実施形態の情報提供システム１によれば、行動の背景となる情報としてのスケジュール情報を考慮して、ユーザにとって近い将来に必要である、より有用な情報を通知することができる。
【００５７】
また、情報提供システム１によれば、任意に予定の内容が入力されるテキスト情報を取得し、取得されたテキスト情報を解析して、予定の場所として目的地名を取得し、ユーザ状態推定部４０４で推定されたユーザの状態とあわせてユーザ状況推定部１０９でユーザの置かれた状況を推定し、乗り換え案内情報が必要なユーザには、スケジュール解析部１０５により取得された目的地名に基づいて乗り換え案内情報を収集し、乗り換え案内情報を、ユーザの携帯端末４０に送信することができる。
【００５８】
さらに、情報提供システム１によれば、ユーザの状態が歩行中である場合には情報の通知を禁止するので、ユーザに対して歩行中にリマインダや乗り換え案内情報が通知されることを回避できる。
【００５９】
さらに、情報提供システム１によれば、ユーザの状態が停止中である場合に、ユーザの位置から目的地名に対応した位置までの乗り換え案内情報を送信させるので、ユーザが歩行を停止した時に現在位置から目的地までの乗り換え案内を通知することができる。
【００６０】
さらに、情報提供システム１によれば、ユーザの状態が車両により移動中である場合に、予定の関連情報を携帯端末４０に送信するので、移動時間を利用して予定に関連する情報を通知することができ、ユーザに有用な情報を提供できる。
【００６１】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
なお、本実施形態において、情報提供システム１は、ユーザの状態として「停止」、「歩行」、「電車で移動中」を推定するが、これ以外の状態を推定してもよい。情報提供システム１は、例えば、「自動車で移動中」であることを判定した場合、情報の通知を禁止する。
また、本実施形態では、ユーザ状態推定部４０４が携帯端末４０に備えられている場合について説明したが、ユーザ状態推定部４０４の機能を、情報提供サーバ１０に備えていてもよい。この場合、情報提供サーバ１０は、携帯端末４０から送信された加速度情報に基づいて、ユーザ情報推定部４０４が実行した処理を行って、ユーザの状態を推定する。
【符号の説明】
【００６２】
１…情報提供システム、１０…情報提供サーバ、３０…データベースサーバ、４０…携帯端末、４０Ａ…ウェアラブル端末、１０３…スケジュール情報収集部、１０５…スケジュール解析部、１０７…ユーザ予定情報記憶部、１０９…ユーザ状況推定部、１１１…通知情報作成部、１１３…通知情報送信部、１１４…地名辞書記憶部、３０４…スケジュール情報記憶部、４０２…ユーザ位置計測部、４０４…ユーザ状態推定部、４０６…加速度計測部、４０８…ユーザ状態送信部、４１２…通知情報通信部、４１５…情報通信部、４１６…情報通知部
【要約】
【課題】ユーザの行動の背景となる情報を考慮し、ユーザの状況に応じた情報提供ができる情報提供システム等を提供する。
【解決手段】ユーザの操作に基づいて予定への参加者および予定の内容を含む情報が登録可能なスケジュール情報記憶部３０４を参照して、情報を収集するスケジュール情報収集部１０３と、収集された情報のうちテキスト情報を解析して、予定に関連する情報を取得するための検索用情報を抽出する解析部１０５と、ユーザの行動に応じて変化する情報を取得し、取得した情報に基づいてユーザの状況を推定する状況推定部１０９と、検索用情報を用いて予定に関連する情報を収集し、ユーザごとの状況に基づいて収集した情報のうちユーザに通知する情報を選択する通知情報作成部１１１と、選択された情報を、ユーザが保有する端末装置４０に送信する通知情報送信部１１３と、を有する。
【選択図】図２【図１】
0005919403.tif 000002
【図２】
0005919403.tif 000003
【図３】
0005919403.tif 000004
【図４】
0005919403.tif 000005
【図５】
0005919403.tif 000006
【図６】
0005919403.tif 000007
【図７】
0005919403.tif 000008
【図８】
0005919403.tif 000009
【図９】
0005919403.tif 000010
【図１０】
0005919403.tif 000011
【図１１】
0005919403.tif 000012
【図１２】
0005919403.tif 000013
【図１３】
0005919403.tif 000014
【図１４】
0005919403.tif 000015
【図１５】
0005919403.tif 000016